(57)【要約】      （修正有）【課題】部品点数が少なく安価で簡易且つ小型軽量であり、子供用自転車にも取り付けが出来、携帯電話の充電やラジオ等の小電力機器に電気を供給することが出来る自転車を動力源とする小型発電機を提供する。【解決手段】自転車の後輪に接する動力伝達輪１と発電用の小型のモーターまたはダイナモ２を備える。該動力伝達輪１の外周部はゴム３であり、発電用の小型モーターまたはダイナモには歯車４を備え、自転車の両足スタンドで固定される台座５および／または固定用ゴム紐６およびフック７を備える。【選択図】図２
0003171171.tif 000002
【実用新案登録請求の範囲】
【請求項１】
自転車の後輪に接する動力伝達輪（１）と発電用の小型のモーターまたはダイナモ（２）を備えることを特徴とする自転車用小型発電機。
【請求項２】
該動力伝達輪（１）の外周部がゴム（３）であり、発電用の小型モーターまたはダイナモには歯車（４）を備え、自転車の両足スタンドで固定される台座（５）および／または固定用ゴム紐（６）およびフック（７）を備えたことを特徴とする請求項１記載の自転車用小型発電機。
【考案の詳細な説明】
【技術分野】
【０００１】  本考案は、人力発電機に係るもので、詳しくは一般の自転車に取り付け、携帯電話の充電や小電力の電気製品に電気を供給する為の小型発電機に関するものである。
【背景技術】
【０００２】  地震などの災害時では、電力供給が停止する可能性がある。特に、震災により停電が発生した際には、情報収集および伝達の為に携帯電話や携帯型のテレビ、ラジオが使われるが、停電が長引いた場合、バッテリー切れにより、こうした情報の収集伝達に支障が出てくる危険性がある。こうした緊急時に携帯電話やラジオあるいは小型のテレビに電気を供給する為の発電機が求められており、人力発電はこの目的の為に利用価値が高いと考えられている。公知の人力発電機として、運動機器を利用するもの（特許文献１参照）や自転車を利用するものが知られている（特許文献２、３参照）。
【先行技術文献】
【特許文献】
【０００３】
【特許文献１】実登３０３３５９７号公報
【特許文献２】特開２００７−２８８９０９号公報
【特許文献３】特開２００９−２６４３５６号公報
【考案の概要】
【考案が解決しようとする課題】
【０００４】  しかしながら、運動機器の発電機では、普段は場所を取り、また高価なものとなる。また、特許文献２および特許文献３の人力発電機は、災害時の電気供給に有効であるが、装置が大掛かりであり、持ち運びや取り付けが容易ではなく、また発電の為に一定以上の漕ぐ力が必要であり、個人の携帯電話の充電や携帯型テレビ、ラジオ等の為の小電力用の発電機としては過剰なものであって、個人的に所有し携行するものとしては好ましくない。【０００５】  本考案の課題は、かかる技術的背景に鑑みてなされたものであって、部品点数が少なく安価で簡易且つ小型軽量であり、子供用自転車にも取り付けが出来、漕ぐ力が弱い子供でも簡単に、携帯電話の充電やラジオ等の小電力機器に電気を供給することが出来る自転車用小型発電機を提供することにある。
【課題を解決するための手段】
【０００６】  本考案は、この課題を解決する為のものであり、請求項１記載の考案は、自転車の後輪に接する動力伝達輪（１）と発電用の小型のモーターまたはダイナモ（２）を備えることを特徴とする自転車用小型発電機である。【０００７】  請求項２記載の考案は、該動力伝達輪（１）の外周部がゴム（３）であり、発電用の小型モーターまたはダイナモには歯車（４）を備え、自転車の両足スタンドで固定される台座（５）および／または固定用ゴム紐（６）およびフック（７）を備えたことを特徴とする請求項１記載の自転車用小型発電機である。
【考案の効果】
【０００８】  本考案により、以下の効果を奏する自転車用小型発電機が提供可能である。【０００９】  部品点数が少なく安価で簡易且つ小型軽量であり、子供用自転車にも取り付けることが可能で、また、持ち運び、取り付けが容易であり、屋外や屋内でも使用できる。【００１０】  小型のモーターまたはダイナモで発電する為に、漕ぐ力が弱くても、携帯電話の充電や小電力機器に供給する為に十分な電気を起こすことが出来る。
【図面の簡単な説明】
【００１１】
【図１】本考案の発電機を自転車後輪の前方部に取り付けた状態の一例を示す側面図。
【図２】請求項２の発電機を自転車に取り付けた状態の一例を示す側面図。
【図３】本考案の自転車用小型発電機の一例を示す斜視図。
【考案を実施するための形態】
【００１２】  本考案に係る自転車用小型発電機の一実施形態を図１に示す。図１において（１）は動力伝達輪、（２）は発電用の小型モーターまたはダイナモ、（３）はゴム、（４）は歯車、（５）は台座、（６）はゴム紐、（７）はフックである。
【００１３】  本考案において、前記動力伝達輪（１）は、外径２０ｍｍ〜２００ｍｍの市販のゴムあるいはナイロン製のキャスター輪が使用できる。この範囲より小さいと自転車の後輪との接触が十分ではなく、また逆に大きいと持ち運びに不便で好ましくない。自転車の後輪の回転力を歯車（４）に効率良く伝える為に、動力伝達輪（１）の外側にゴム（３）を設けるのが好適である。本考案で使用する発電用の小型モーターまたはダイナモ（２）は、本体重量が１５ｇ乃至１５００ｇの玩具や模型に使われる市販の小型モーター、ステッピングモーター、自転車用ダイナモ等が使用できる。本体重量がこの範囲より小さいモーターでは、携帯電話の充電等、目的の為の十分な電力は得られず、逆にこの範囲を超えると持ち運びや取り付けの点で好ましく無い。
例えば、乾電池で駆動するタイプの模型工作用の小型モーターを使う場合は、直流の電気を発電出来、整流器なしで携帯電話の充電に使用できる。一方、ステッピングモーターや自転車用ダイナモを使う場合は、整流回路で直流に変換し、ツェナーダイオードや三端子レギュレーターで一定電圧に調整した後、電気を携帯充電やラジオに供給することが出来る。
【００１４】  携帯電話に充電する場合、携帯電話に本考案から直接電気を供給する方法と共に間接的に電気を供給することも可能である。具体的には、市販の二次電池、鉛蓄電池、自動車用バッテリー、バイク用バッテリー、リチウムイオンバッテリーに一度充電し、該充電済み電池、バッテリーから携帯電話に充電することも可能である。この場合は、供給電圧が安定するので好適である。
【００１５】  動力伝達輪（１）と自転車の後輪とを確実に接触させる為に、自転車の両足スタンドで固定可能な台座（５）を設けるか、両足スタンドに掛ける為のフック（７）、ゴム紐（６）を設け、固定して使用するのが好適であり、この両方を備えても良い。また本考案の発電機を設置する位置は、自転車の後輪の後方部、前方部のどちらでも良い。
【実施例】
【００１６】  以下に本考案の具体的実施例を説明するが、本考案は以下の実施例に限定されるものではない。【００１７】外径７５ｍｍ、幅２５ｍｍのナイロンキャスター輪（ハンマー社製、型番０５２）を動力伝達輪（１）として、その外周部に厚み３ｍｍ、幅３０ｍｍのＮＢＲゴム（ＷＡＫＩ産業社製、硬度３２、ハネナイト粘着付き）（３）を張り付け、歯車（４）が付属した高トルク精密２００ステップステッピングモーター２３ＫＭ−Ｋ０３６（秋月電子、重量７５０ｇ）を小型モーター（２）として使用し、本考案の自転車用小型発電機を組みたてた。【００１８】２４インチ自転車の両足スタンドを立てた状態で、該発電機を自転車後輪の前方部に取り付け、また、出力端子には整流回路と出力電圧５Ｖの三端子レギュレーターＴＡ４８０５Ｓ（東芝）を取り付け、交流を直流５Ｖに変換出来る様にセットした。人力で発電を行い、リチウムイオンバッテリー「ｅｎｅｌｏｏｐ  ｍｏｂｉｌｅ  ｂｏｏｓｔｅｒ」（ＳＡＮＹＯ）に電気を供給し充電を行った。該充電済みバッテリーを使い携帯電話の充電を行い、携帯電話が充電出来ることを確認した。【００１９】自転車の両足スタンドで固定される台座（５）およびゴム紐（６）、フック（７）を備えた発電機を自転車後輪の後方部に取り付け上記と同様に発電を行い、携帯電話が充電出来ることを確認した。
【産業上の利用可能性】
【００２０】本考案に係る自転車用小型発電機は、災害で電力供給が停止した際に、携帯電話の充電や携帯型のテレビ、ラジオに電気を供給するのに利用出来る。
【符号の説明】
【００２１】１・・・動力伝達輪
２・・・小型モーターまたはダイナモ
３・・・ゴム
４・・・歯車
５・・・台座
６・・・ゴム紐
７・・・フック
【図１】
0003171171.tif 000003
【図２】
0003171171.tif 000004
【図３】
0003171171.tif 000005